(57)【要約】【課題】フイルター部材を使用する必要がなく、エアゾール製品からその外部にエアゾール容器内の内容物をほとんど残存させることなく噴射させることができ、内容物がその内壁に付着して乾燥することによって生成した乾燥物が剥がれ落ちた破片や内容物から生じた析出物などがハウジング内のステム孔の流路を閉塞することを防止することができるエアゾール製品を提供する。【解決手段】倒立型エアゾール製品用噴射バルブがエアゾール容器７に装着されている。前記倒立型エアゾール製品用噴射バルブは、ステム１、当該ステム１の側面に形成されたステム孔１ａを封止するように配設されたステムラバー２およびステム１に押圧を加えるためのスプリング３がハウジング４内に収納されてなり、前記ハウジング４の少なくとも側面に前記ステム１に配設されたステム孔１ａの孔径以下の孔径を有する貫通孔４ａが複数個設けられていることを特徴とする。【選択図】図１
2010173695.tif 000002
【特許請求の範囲】
【請求項１】
倒立型エアゾール製品に使用されるハウジングであって、
倒立型エアゾール製品に使用されるステムに配設されたステム孔の孔径以下の孔径を有する貫通孔が少なくともその側面に複数個設けられていることを特徴とする倒立型エアゾール製品用ハウジング。
【請求項２】
すべての貫通孔の開口部における面積の総和が、ステム孔の開口部における面積と同じであるか、またはそれ以上である請求項１に記載の倒立型エアゾール製品用ハウジング。
【請求項３】
倒立型エアゾール製品に使用される噴射バルブであって、
ステム、当該ステムの側面に形成されたステム孔を封止するように配設されたステムラバーおよびステムに押圧を加えるためのスプリングがハウジング内に収納されてなり、前記ハウジングとして、前記ステムに配設されたステム孔の孔径以下の孔径を有する貫通孔が少なくともその側面に複数個設けられていることを特徴とする倒立型エアゾール製品用バルブ。
【請求項４】
すべての貫通孔の開口部における面積の総和が、ステム孔の開口部における面積と同じであるか、またはそれ以上である請求項３に記載の倒立型エアゾール製品用バルブ。
【請求項５】
倒立型エアゾール製品用噴射バルブおよびエアゾール容器を有する倒立型エアゾール製品であって、
倒立型エアゾール製品用噴射バルブがエアゾール容器に装着されてなり、
前記倒立型エアゾール製品用噴射バルブが、ステム、当該ステムの側面に形成されたステム孔を封止するように配設されたステムラバー、およびステムに押圧を加えるためのスプリングがハウジング内に収納されてなり、
前記ハウジングとして、前記ステムに配設されたステム孔の孔径以下の孔径を有する貫通孔が少なくともその側面に複数個設けられていることを特徴とする倒立型エアゾール製品。
【請求項６】
すべての貫通孔の開口部における面積の総和が、ステム孔の開口部における面積と同じであるか、またはそれ以上である請求項５に記載の倒立型エアゾール製品。
【発明の詳細な説明】
【技術分野】
【０００１】
本発明は、倒立型エアゾール製品に関する。さらに詳しくは、バルブを下方に向けて使用される、倒立型泡沫エアゾール製品などに代表される倒立型エアゾール製品、それに使用される倒立型エアゾール製品用バルブおよび倒立型エアゾール製品用ハウジングに関する。
【背景技術】
【０００２】
エアゾール製品のバルブで目詰まりが生じた場合、内容物を一定量で噴射することができなくなったり、経時的に噴射量が減少したりするなどの噴射不良が生じる。エアゾール製品のバルブでの目詰まりは、エアゾール製品にとって致命的な欠点であるため、その目詰まりを防止することは、エアゾール製品を開発するうえでの重要な技術的課題となっている。
【０００３】
エアゾール製品の中でも特に倒立型エアゾール製品では、正立状態で静置している間にエアゾール容器の内容物がその内壁に付着して乾燥することによって生成した乾燥物が使用するときの振盪によって剥がれ落ちた破片や内容物から生じた析出物などが内容物中で沈降し、倒立状態で使用するときにバルブのハウジング内に吸い込まれ、ハウジング内のステム孔の流路を閉塞することがある。このようにステム孔の流路が閉塞した場合、エアゾール製品の内容物を一定量で噴射させることができなくなったり、経時的に噴射量が減少したりするという噴射不良が生じるおそれがある。
【０００４】
そこで、バルブの目詰まりを防止し、良好な噴霧状態を与える倒立型エアゾール製品として、耐圧容器の収納物を外部に取り出すための導入孔が壁部に設けられているエアゾールバルブにおいて、当該導入孔にフイルター部材が当接されている倒立型エアゾール製品が提案されている（例えば、特許文献１参照）。しかし、この倒立型エアゾール製品に使用されているフイルター部材には、ポリウレタン系発泡体などの素材が使用されているため、エアゾール製品の収納物によって当該素材が溶解したり、当該素材に含まれている可塑剤などが収納物に溶出し、収納物が変性したりするおそれがあることから、エアゾール製品内に充填することができる収納物の種類に制約がある。
【０００５】
エアゾール缶のステム孔の詰まりによる動作不良を防止する弁構造として、ステムと接続されるハウジングの底面のチューブの取付け部にステム孔の径以下の径を有する複数の剤導入孔が形成された弁構造が提案されている（例えば、特許文献２参照）。しかし、この弁構造には、ハウジングの底面のチューブの取付け部にステム孔の径以下の径を有する複数の剤導入孔が設けられていることから、配設可能な剤導入孔の数に制約があるとともにエアゾール缶の内容物の流量がこの剤導入孔で制限されるため、剤導入孔で目詰まりが生じると内容物の噴射量が低減し、所望の噴射形態に制御することが困難となる。
【０００６】
また、エアゾール製品のステム孔が微小異物で目詰まりすることを防止するフイルタキャップとして、エアゾール容器内の内容物を流入させるための流入孔を有するハウジングの底部にパイプ部を設け、当該パイプ部にスリーブが外挿され、スリーブの内周面に凹部を設けることにより、パイプ部とスリーブとの間にフイルタ用小孔が形成されたフイルタキャップが提案されている（例えば、特許文献３参照）。しかし、このフイルタキャップを倒立型エアゾール製品に適用し、当該倒立型エアゾール製品を倒立させて使用した場合、フイルタキャップのパイプ部の下端部からエアゾール容器内の内容物が流入するため、パイプ部の下端面からハウジングが取り付けられているマウンティングカップの下端面までの間に存在する内容物が残存することから、エアゾール製品からその外部に内容物を十分に噴射させることができない。
【先行技術文献】
【特許文献】
【０００７】
【特許文献１】特開平８−２５６８号公報
【特許文献２】特開平１０−１４７３８４号公報
【特許文献３】特開２００３−８１３７１号公報
【発明の概要】
【発明が解決しようとする課題】
【０００８】
本発明は、前記従来技術に鑑みてなされたものであり、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物の破片がバルブのハウジング内に吸い込まれ、ハウジング内のステム孔の流路を閉塞することを防止することができるエアゾール製品を提供することを課題とする。
【課題を解決するための手段】
【０００９】
本発明の倒立型エアゾール製品用ハウジングは、倒立型エアゾール製品に使用されるステムに配設されたステム孔の孔径以下の孔径を有する貫通孔が少なくともその側面に複数個設けられていることを特徴とする。本発明の倒立型エアゾール製品用ハウジングは、前記構成を有するので、倒立型エアゾール製品に使用した場合、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物が剥がれ落ちた破片や内容物から生じた析出物などがバルブのハウジング内に吸い込まれ、ハウジング内のステム孔の流路を閉塞することを防止することができる。
【００１０】
本発明の倒立型エアゾール製品用噴射バルブは、倒立型エアゾール製品に使用される噴射バルブであり、ステム、当該ステムの側面に形成されたステム孔を封止するように配設されたステムラバーおよびステムに押圧を加えるためのスプリングがハウジング内に収納されてなり、前記ハウジングとして、前記ステムに配設されたステム孔の孔径以下の孔径を有する貫通孔が少なくともその側面に複数個設けられていることを特徴とする。本発明の倒立型エアゾール製品用バルブは、前記構成を有するので、倒立型エアゾール製品に使用した場合、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物が剥がれ落ちた破片や内容物から生じた析出物などがバルブのハウジング内に吸い込まれ、ハウジング内のステム孔の流路を閉塞することを防止することができる。
【００１１】
本発明の倒立型エアゾール製品は、倒立型エアゾール製品用噴射バルブおよびエアゾール容器を有する倒立型エアゾール製品であり、倒立型エアゾール製品用噴射バルブがエアゾール容器に装着されてなり、前記倒立型エアゾール製品用噴射バルブがステム、当該ステムの側面に形成されたステム孔を封止するように配設されたステムラバーおよびステムに押圧を加えるためのスプリングがハウジング内に収納されてなり、前記ハウジングとして、前記ステムに配設されたステム孔の孔径以下の孔径を有する貫通孔が少なくともその側面に複数個設けられていることを特徴とする。本発明の倒立型エアゾール製品は、前記構成を有するので、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物が剥がれ落ちた破片や内容物から生じた析出物などがバルブのハウジング内に吸い込まれ、ハウジング内のステム孔の流路を閉塞することを防止することができる。
【発明の効果】
【００１２】
本発明の倒立型エアゾール製品用ハウジングは、倒立型エアゾール製品に使用した場合、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物が剥がれ落ちた破片や内容物から生じた析出物などがバルブのハウジング内に吸い込まれ、ハウジング内のステム孔の流路を閉塞することを防止することができるという効果を奏する。
【００１３】
本発明の倒立型エアゾール製品用噴射バルブは、倒立型エアゾール製品に使用した場合、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物が剥がれ落ちた破片や内容物から生じた析出物などがバルブのハウジング内に吸い込まれ、ハウジング内のステム孔の流路を閉塞することを防止することができるという効果を奏する。
【００１４】
本発明の倒立型エアゾール製品は、フイルター部材を使用する必要がなく、エアゾール製品からその外部にエアゾール容器内の内容物をほとんど残存させることなく噴射させることができ、エアゾール容器の内容物がその内壁に付着して乾燥することによって生成した乾燥物が剥がれ落ちた破片や内容物から生じた析出物などがバルブのハウジング内に吸い込まれ、ハウジング内のステム孔の流路を閉塞することを防止することができるという効果を奏する。
【図面の簡単な説明】
【００１５】
【図１】本発明の倒立型エアゾール製品の一実施形態を示す一部省略断面図である。
【発明を実施するための形態】
【００１６】
本発明の倒立型エアゾール製品は、倒立型エアゾール製品用噴射バルブおよびエアゾール容器を有する倒立型エアゾール製品であり、倒立型エアゾール製品用噴射バルブがエアゾール容器に装着されている。
【００１７】
本発明の倒立型エアゾール製品を図１に基づいて説明する。図１は、本発明の倒立型エアゾール製品の一実施形態を示す一部省略断面図である。
【００１８】
倒立型エアゾール製品用噴射バルブは、ステム１、当該ステム１の側面に形成されたステム孔１ａを封止するように配設されたステムラバー２およびステム１に押圧を加えるためのスプリング３をハウジング４内に収納することによって構成されている。ハウジング４は、ステム１に配設されたステム孔１ａの孔径以下の孔径を有する貫通孔４ａが少なくともその側面に複数個設けられていることを特徴とする。
【００１９】
ステム１は、マウンティングキャップ５のステム挿入口５ａに挿入されている。ステム１の側面には、エアゾール製品の内部に充填された内容物をステム１内の空隙部を介してエアゾール製品の外部に噴射させるためのステム孔１ａが設けられている。
【００２０】
ステム孔１ａの形状は、円形や楕円形であってもよく、四角形であってもよく、その他の多角形であってもよい。ステム孔１ａの孔径は、特に限定されないが、通常、０．３〜０．８ｍｍ程度、好ましくは０．３〜０．５ｍｍ程度である。
【００２１】
マウンティングキャップ５のステム挿入口５ａが設けられている部分において、マウンティングキャップ５のエアゾール容器７が設けられている側には、ステム１を押圧していない状態でステム孔１ａを封止するためにステムラバー２が設けられており、ステム孔１ａは、ステムラバー２によって封止されている。
【００２２】
ステム１のエアゾール容器７が設けられている側には、ステム１を押圧していない状態でステム孔１ａをステムラバー２で封止するために、ステム１をエアゾール容器７が設けられていない側の方向に押圧を与えるスプリング３が設けられている。スプリング３の一端は、ステム１と当接し、その他端は、ハウジング４の底面と当接している。スプリング３は、ステム１の押し下げによって収縮するが、押圧を解除すると、元の状態に復元するので、ステム１は、元の位置に戻る。ステム１がバルブから外れないようにするために、ステム１には、係止部１ｃが設けられている。
【００２３】
ハウジング４は、マウンティングキャップ５のハウジング固定用凸部５ｂによって固定されている。ハウジング４とマウンティングキャップ５との間に空隙が存在していると、エアゾール製品の内容物がその空隙を介して外部に漏出するおそれがあるため、ハウジング４の端部は、ステムラバー２を介してマウンティングキャップ５と密着されている。ハウジング４は、例えば、ポリアセタール、ナイロン、ポリブチレンテレフタレートなどの樹脂で成形することができる。
【００２４】
ハウジング４には、貫通孔４ａが設けられている。貫通孔４ａは、エアゾール製品の内容物をハウジング４内に導入するために設けられている。ハウジング４内に導入された内容物は、ステム１をエアゾール製品の内部方向に押し下げると、ステム１の押し下げと連動してステムラバー２が下方に撓むため、ステム孔１ａの封止が解除され、ステム孔１ａを介して外部に噴射される。ステム１の押圧を解除すると、ハウジング４に内蔵されているスプリング３によってステム１が元の位置に戻るため、ステム孔１ａは、ステムラバー２によって封止され、エアゾール製品の内容物の噴射が停止される。
【００２５】
本発明においては、ハウジング４の少なくとも側面に貫通孔４ａが複数個設けられている点に、１つの特徴がある。このように、ハウジング４の側面に貫通孔４ａが複数個設けられているので、複数の貫通孔４ａのうち一部の貫通孔４ａがエアゾール容器の内容物の乾燥物が剥がれ落ちた破片や内容物から生じた析出物などによって封止された場合であっても、他の貫通孔４ａにより、エアゾール容器７内の内容物をハウジング４内に十分に導入することができることから、ステム孔１ａの目詰まりを防止しつつ、エアゾール製品からその外部にエアゾール容器内の内容物をほとんど残存させることなく噴射させることができる。特に、貫通孔４ａがハウジングの壁面の上端側（ステム側）まで設けられている場合には、エアゾール製品における内容物の残存量をより一層低減させて噴射させることができる。また、ハウジング４の側面に貫通孔４ａが複数設けられていることにより、エアゾール容器７内に内容物をほとんど残存させずにエアゾール製品からその外部にエアゾール容器７内の内容物を噴射させることができる。
【００２６】
ハウジング４の貫通孔４ａの形状は、特に限定されず、円形や楕円形であってもよく、四角形であってもよく、その他の多角形であってもよい。ハウジング４の貫通孔４ａは、ハウジング４の側面にのみ設けられていてもよく、ハウジング４の側面以外にも、ハウジング４の底面にも設けられていてもよい。図１に示されるハウジング４では、ハウジング４の底面にも貫通孔４ｂが設けられている。貫通孔４ａは、内容物中に粗大粒子が生成した場合であっても、その粗大粒子によって複数の貫通孔４ａが同時に閉塞されることを防止する観点から、ハウジング４に均一に分散している状態で設けられていることが好ましい。貫通孔４ａは、ハウジング４を成形するときに設けられてもよく、あるいはハウジング４を成形した後、ドリルやピンバイスなどの工具を用いて後加工によって設けられてもよい。
【００２７】
ハウジング４の貫通孔４ａは、ステム１の側面に配設されているステム孔１ａの孔径以下の孔径を有する。本発明においては、ハウジング４の貫通孔４ａの孔径がステム１のステム孔１ａの孔径以下となるように設定されているので、ステム１のステム孔１ａを閉塞するような粒子は、当該貫通孔４ａで捕捉されるため、当該粒子によるステム孔１ａの閉塞を防止することができる。ハウジング４の貫通孔４ａの孔径は、ステム孔１ａがより閉塞されがたくなるようにする観点から、ステム孔１ａの孔径よりも０．０２ｍｍ以上小さいことが好ましく、０．０５ｍｍ以上小さいことがより好ましく、０．１ｍｍ以上小さいことがさらに好ましい。
【００２８】
貫通孔４ａは、エアゾール製品の内容物に含まれている粒子のうちステム孔１ａを閉塞させるような大きさを有する粒子を捕捉するという機能を有している。貫通孔４ａが当該粒子を捕捉したとき、当該貫通孔４ａの開口部は、その粒子によって閉塞されるため、当該貫通孔４ａに内容物が流入しがたくなる。貫通孔４ａは、粒子を捕捉することによって貫通孔４ａに内容物が流入しがたくなったとしても、他の貫通孔４ａで内容物が十分に通過するようにする観点から、複数個設けられているが、できるだけ数多くの貫通孔４ａが設けられていることが好ましく、ステム孔１ａの開口部における面積に応じて決定することがより好ましい。
【００２９】
ハウジング４に設けられているすべての貫通孔４ａの開口部における面積の総和は、エアゾール製品の内容物の流量が貫通孔４ａによって制限されないようにする観点から、ステム孔１ａの開口部における面積と同じであるか、またはそれ以上であることが好ましい。また、当該面積の総和は、一部の貫通孔４ａが粒子を捕捉することによって当該貫通孔４ａに内容物が流入しないようになった場合であっても、内容物の噴射量の低下や噴射形態の変動を防止する観点から、ステム孔１ａの開口部における面積の１．１倍以上であることが好ましく、１．３倍以上であることがより好ましく、１．５倍以上であることがさらに好ましい。
【００３０】
マウンティングキャップ５は、例えば、かしめることによってエアゾール容器７と一体化される。その際、マウンティングキャップ５とエアゾール容器７との間隙からエアゾール容器７内の内容物が漏出しないようにするために、マウンティングキャップ５とエアゾール容器７とは、間隙を封止するための封止パッキン６を介して一体化されている。封止パッキン６としては、例えば、ゴムパッキン、樹脂パッキンなどが挙げられる。
【００３１】
エアゾール容器７の材質および大きさは、任意であり、エアゾール製品の用途などに応じて適宜決定すればよい。
【００３２】
エアゾール製品に充填される内容物の種類についても特に限定がなく、例えば、毛髪用フォーム剤などのように、エアゾール容器７の内壁に付着した内容物が乾燥し、生成した乾燥物が使用時の振盪によって剥がれ落ちて破片を生成したり、内容物から析出物が生じるおそれがある内容物に対して、本発明のエアゾール製品を好適に使用することができる。
【００３３】
なお、本発明のエアゾール製品においては、ステム１の先端には、必要により、所望の形状と大きさを有する噴孔をもつ押しボタン（図示せず）が設けられていてもよい。
【００３４】
本発明のエアゾール製品は、以下のように作動する。エアゾール製品の内容物は、ハウジング４の少なくとも側面に設けられている貫通孔４ａからハウジング４の内部に流入する。このとき、貫通孔４ａの開口部よりも大きい径を有する粒状物は、貫通孔４ａによってハウジング４内に流入するのが阻止される。ハウジング４には複数個の貫通孔４ａが設けられているから、粒状物によって閉塞された貫通孔４ａが生じたとしても、閉塞されていない他の貫通孔４ａから内容物がハウジング４内に流入させることができる。
【００３５】
次に、ステム１がエアゾール製品の内部方向に向けて押し下げられると、ステムラバー２によって封止されていたステム孔１ａが開口し、ハウジング４内の内容物がエアゾール製品の内圧によってステム孔１ａから噴射される。このとき、ハウジング４の貫通孔４ａの開口部の大きさは、ステム孔１ａの開口部の大きさと同一であるかまたは小さいことから、貫通孔４ａを通過した内容物に含まれている粒状物は、ステム孔１ａを通過するので、ステム孔１ａの閉塞を防止することができる。
【実施例】
【００３６】
次に、本発明を実施例に基づいてさらに詳細に説明するが、本発明は、かかる実施例のみに限定されるものではない。
【００３７】
実施例１および比較例１
本発明に係るエアゾール容器（満注量：２６２ｍＬ）と従来のエアゾール容器（満注量：２６２ｍＬ）に内容物を充填し、エアゾール製品を製造した。本発明に係るエアゾール容器として、図１に示すものを用いた。
【００３８】
表１における配合例１または配合例２に示す原液と、噴射剤である液化石油ガス（ＬＰＧ）を表１に示す容量比で混合したものを用いた。製造したエアゾール製品を倒立させて１回噴射した後、１日間室温中で静置した。この操作を毎日繰り返し、６０日間経過時における噴射状態を以下の評価基準に基づいて評価した。その結果を表１に示す。
【００３９】
（評価基準）
○：噴射状態に異常は認められない。
×：噴射量が少ないか、またはまったく噴射しなく（目詰まりが発生している）。
【００４０】
【表１】
2010173695.tif 000003
【００４１】
表１に示された結果から、実施例１のエアゾール製品は、比較例１のエアゾール製品と対比して、エアゾール製品を倒立させて噴射する操作を毎日繰り返したとしても、噴射状態に異常が認められないことから、エアゾール製品からその外部にエアゾール容器内の内容物をほとんど残存させることなく噴射させることができ、内容物がその内壁に付着して乾燥することによって生成した乾燥物が剥がれ落ちた破片や内容物から生じた析出物などがハウジング内のステム孔の流路を閉塞することを防止することができることがわかる。
【符号の説明】
【００４２】
１    ステム
１ａ  ステム孔
２    ステムラバー
３    スプリング
４    ハウジング
４ａ  貫通孔
５    マウンティングキャップ
７    エアゾール容器
【図１】
2010173695.tif 000004